(57)【要約】【課題】酸化寿命が格段に優れている潤滑油組成物を提供する。【解決手段】基油に、フェノール系酸化防止剤などの連鎖停止型酸化防止剤０．００５〜１０質量％及びＣ６０、Ｃ７０、及びＣ７６以上の高次フラーレンを含むフラーレン類混合物などのフラーレン類０．００５〜１０質量％が配合されていることを特徴とする潤滑油組成物である。【選択図】  なし【特許請求の範囲】
【請求項１】
基油に、連鎖停止型酸化防止剤０．００５〜１０質量％及びフラーレン類０．００５〜１０質量％が配合されていることを特徴とする潤滑油組成物。
【請求項２】
連鎖停止型酸化防止剤がフェノール系酸化防止剤である請求項１に記載の潤滑油組成物。
【請求項３】
フラーレン類が、Ｃ６０、Ｃ７０、及びＣ７６以上の高次フラーレンを含むフラーレン類混合物であることを特徴とする請求項1又は２に記載の潤滑油組成物。
【発明の詳細な説明】
【技術分野】
【０００１】
本発明は、フラーレン類を含有する潤滑油組成物に関するものである。特に、フラーレン類を含有し、優れた酸化防止性能を有する潤滑油組成物に関するものである。
【背景技術】
【０００２】
球状炭素化合物であるフラーレンの大量合成法が１９９０年に確立されたのを機に、新材料としてのフラーレンの様々な物理的・化学的特徴を利用した用途が検討されている。中でも、フラーレンのラジカルとの反応性を利用した研究が数多く成されている。
【０００３】
フラーレンは炭素原子のみで構成される５員環と６員環からなり、中空構造を有する球状分子である。フラーレンの代表例は１２個の５員環と２０個の６員環からなる、バックミンスターフラーレンと呼ばれるＣ６０のサッカーボール状分子であるが、Ｃ６０以外にも、Ｃ７０、Ｃ７６、Ｃ７８、Ｃ８０、Ｃ８２、Ｃ８４、Ｃ８６、Ｃ８８、Ｃ９０、Ｃ９２、Ｃ９４、Ｃ９６等が知られている。これらを総称してフラーレン類という。
【０００４】
これらフラーレン類の化学的特徴の一つとして、ラジカルとの反応性が知られており、生体内での抗酸化作用に関する研究や、ポリマーに酸化防止剤として配合する研究が成されている。例えば、ポリスチレンゴム、シリコンゴムに添加した場合の熱分解温度上昇作用を明らかにした研究(非特許文献１参照)、フラーレン誘導体による、紫外線／過酸化資質に由来の活性酸素の消去作用に関する研究(非特許文献２参照)等が報告されている。
また、潤滑油分野においてフラーレン類の酸化防止作用を研究した例としては、フラーレン類でグラフト化した炭化水素を含む潤滑油(特許文献１参照)、フラーレン類を配合した転がり軸受用潤滑油 (特許文献２参照)等が提案されている。
【０００５】
【非特許文献１】Eldar B.Zeinalov  他、Polymer Degradation and Stability Vol.71 No.2197-202 (2001)
【非特許文献２】前田  健太郎他、Fragrance journal Vol.31 No.8 40-48
【特許文献１】特表平１１−５１５０５３号公報
【特許文献２】特開２００５−２９８７３５号公報
【発明の開示】
【発明が解決しようとする課題】
【０００６】
近年、潤滑油分野における環境対応の一環として、各種潤滑油の長寿命化が図られており、酸化安定性の更なる向上のため、酸化防止剤の配合技術が重要になっている。潤滑油に配合される酸化防止剤としては、フェノール系化合物やアミン系化合物などの連鎖停止型酸化防止剤や、ＺｎＤＴＰや硫化オレフィンなどの過酸化物分解型酸化防止剤などが従来から用いられているが、更なる酸化安定性の向上を目的とした場合、より効果の高い酸化防止剤が必要になってきている。本発明は、フラーレン類を用いて酸化寿命を格段に延長させた潤滑油組成物を提供することを目的とする。
【課題を解決するための手段】
【０００７】
本発明者らは、上記課題を解決するために鋭意検討した結果、基油に、フラーレン類および連鎖停止型酸化防止剤をそれぞれ特定量配合させることにより、上記課題を解決できることを見出し、本発明を完成するに至った。
すなわち、本発明は、基油に、連鎖停止型酸化防止剤０．００５〜１０質量％及びフラーレン類０．００５〜１０質量％が配合されていることを特徴とする潤滑油組成物を提供するものである。
【０００８】
また、本発明は、上記潤滑油組成物において、連鎖停止型酸化防止剤がフェノール系酸化防止剤である潤滑油組成物を提供するものである。
また、本発明は、上記潤滑油組成物において、フラーレン類が、Ｃ６０、Ｃ７０、及びＣ７６以上の高次フラーレンを含むフラーレン混合物である潤滑油組成物を提供するものである。
【発明の効果】
【０００９】
本発明の潤滑油組成物は、従来から潤滑油の酸化防止剤として用いられている連鎖停止型酸化防止剤と、近年、酸化防止作用が見出されたフラーレン類を共に配合することにより、それぞれ単独で用いられる場合よりも格段に優れる酸化寿命を得ることができる。
【発明を実施するための最良の形態】
【００１０】
本発明におけるフラーレン類としては、Ｃ６０、Ｃ７０、Ｃ７６、Ｃ７８、Ｃ８０、Ｃ８２、Ｃ８４、Ｃ８６、Ｃ８８、Ｃ９０、Ｃ９２、Ｃ９４、Ｃ９６等が挙げられる。これらは１種単独で用いてもよいし、２種以上の混合物として用いてもよいが、混合物を使用することがより好ましい。フラーレン類混合物としては、Ｃ６０、Ｃ７０、及びＣ７６以上の高次フラーレンを含むフラーレン類混合物が好ましい。
【００１１】
このフラーレン類混合物において、Ｃ６０の含有割合は３０〜８５質量％が好ましく、４０〜７５質量％が特に好ましい。また、Ｃ７０の含有割合は１０〜５０質量％が好ましく、１５〜４０質量％が特に好ましい。さらに、Ｃ７６以上の高次フラーレンの含有割合は５〜３５質量％が好ましく、１０〜３０質量％が特に好ましい。
フラーレン類は、潤滑油組成物全体量に対して０．００５〜１０質量％配合されるが、０．０１〜１０質量％配合することが好ましく、０．０５〜５質量％配合することが特に好ましい。フラーレン類の配合量が少な過ぎると酸化防止作用が発現されず、フラーレン類の配合量が多過ぎると溶解せずに沈積する量が多くなり好ましくない。
【００１２】
本発明における連鎖停止型酸化防止剤としては、２，６−ジ−t−ブチル−p−クレゾール等のアルキルフェノール類、４，４‘−メチレンビス―(２，６−ジ−ｔ−ブチルフェノール)、４，４’−ビス−（２，６−ジ−ｔ−ブチルフェノール）、４，４‘−チオビス―(６−t−ブチル−o−クレゾール)等のビスフェノール類、イソオクチル−３−(３，５−ジ−ｔ−ブチル−４−ヒドロキシフェニル)プロピオネ−ト、ｎ−オクタデシル−３−(３，５−ジ−ｔ−ブチル−４−ヒドロキシフェニル)プロピオネ−ト等のヒンダードフェノール類などのフェノール系化合物、あるいは、フェニル−α−ナフチルアミン等のナフチルアミン類、ｐ，ｐ’−ジアルキルジフェニルアミン等のジフェニルアミン類、フェノチアジンなどの芳香族アミン系化合物を使用することができ、これらは複数を組み合わせても良く、単独で用いても良い。
【００１３】
これらのうち、フェノール系化合物が特に好ましく、ヒンダードフェノール類がさらに好ましく、これらは複数を組み合わせても良く、単独で用いても良い。
連鎖停止型酸化防止剤は、潤滑油組成物全体量に対して０．００５〜１０質量％配合するが、０．０１〜５質量％が好ましい。連鎖停止型酸化防止剤の配合量が多過ぎると添加量の割には酸化防止効果が伸びないばかりか基油の割合が少なくなり潤滑油としての機能に乏しくなるため好ましくない。
【００１４】
本発明の潤滑油組成物においては、フラーレン類と連鎖停止型酸化防止剤の配合割合は、質量比で１：５０〜２０：１が好ましく、１：１０〜１０：１がより好ましく、１：５〜５：１がさらに好ましく、１：３〜３：１が特に好ましい。
【００１５】
本発明に用いる基油は、鉱油系潤滑油、合成系潤滑油又は両者の混合物からなる基油が用いられる。鉱油系潤滑油は、例えば、鉱油系潤滑油留分を溶剤精製、水素化精製などの精製手法を適宜組み合わせて精製したものが用いられる。合成潤滑油は、例えば、炭素数３〜１２のα-オレフィンの重合体であるポリ−α−オレフィン類、ポリブテン類、ジエステル類、ポリオールエステル類、ジフェニルエーテル類、ポリフェニルエーテル類、ポリアルキレングリコール類、アルキルベンゼン類、アルキルナフタレン類等が用いられる。これら鉱油系潤滑油、合成系潤滑油はそれぞれ１種単独で、あるいは２種以上を混合して使用することができる。
【００１６】
本発明の潤滑油組成物は、基油に連鎖停止型酸化防止剤、及びフラーレン類を添加し、混合することにより調製することができる。
本発明の潤滑油組成物には、必要に応じて他の各種添加剤を１種以上適宜配合することができる。各種添加剤としては、清浄剤、分散剤、防錆剤、流動点降下剤、粘度指数向上剤、消泡剤、摩耗防止剤、摩擦調整剤、金属不活性化剤、界面活性剤などが挙げられる。具体的には、清浄剤として、スルホネート、フェネート、サリシレートなどが挙げられる。分散剤としては、アルケニルコハク酸イミド、アルケニルコハク酸イミドのホウ素化合物誘導体、流動点降下剤として、ポリメタクリレート、粘度指数向上剤として、ポリメタクリレート、オレフィンコポリマーなどが挙げられる。
【００１７】
消泡剤としては、シリコン化合物、エステル系消泡剤などが挙げられる。摩耗防止剤としては、Ｚｎ−ＤＴＰなどが挙げられる。摩擦調整剤としては、脂肪酸、有機モリブデン化合物などが挙げられる。金属不活性化剤としては、ベンゾトリアゾール、アルケニルコハク酸エステルなどが挙げられる。界面活性剤としては、ポリオキシエチレンフェニルエーテル、ポリオキシエチレンソルビタンモノオレートなどが挙げられる。なお、本発明の効果を損なわない範囲であれば、さらに過酸化物分解型酸化防止剤を配合することもできる。過酸化物分解型酸化防止剤としては、ＺｎＤＴＰや硫化オレフィンなどが挙げられる。
【実施例】
【００１８】
以下、実施例および比較例によりさらに具体的に本発明を説明するが、本発明は以下の実施例に限定されるものではない。
【００１９】
(実施例１〜２、比較例１〜４)
下記（１）〜（３）に示す基油と添加剤を表１に示す割合で配合して潤滑油組成物を調整した。
（１）基油：ポリ-α-オレフィン油（１００℃の動粘度が約６ｍｍ２／ｓのグレードのもの）
（２）連鎖停止型酸化防止剤：イソオクチル−３−(３，５−ジ−t−ブチル−４−ヒドロキシフェニル)プロピオネ−ト
（３）フラーレン類：Ｃ６０を約６０質量％、Ｃ７０を約２５質量％、およびＣ７６以上の高次フラーレンを約１５質量％含むフラーレン混合物
【００２０】
調製した潤滑油組成物について下記の通り評価試験を行った。
ＪＩＳ  Ｋ２５１４に規定される潤滑油の酸化安定度試験方法のうち、回転ボンベ式酸化安定度試験方法(略称ＲＢＯＴ)に準拠して評価した。この試験は最高圧力から１．８ｋｇｆ／ｃｍ２の圧力降下が観測されるまでの時間を[分]単位で計測するもので、時間が長いほど酸化安定性に優れ、潤滑油としての寿命が長いことを示す。
表１に、上記評価試験の結果を示す。なお表１では圧力降下までの時間をＲＢＯＴ寿命と称した。
【００２１】
【表１】
2007314621.tif 000002
【００２２】
表１において、比較例１はポリ-α-オレフィン油（以下、ＰＡＯという。）単品であり、比較例２は、ＰＡＯにフラーレン類のみを配合したものであり、比較例３、４はＰＡＯに連鎖停止型酸化防止剤を配合したものである。表1より明らかな通り、フラーレン類の酸化防止作用は連鎖停止型酸化防止剤の酸化防止作用に著しく劣っている。一方、実施例１及び実施例２は、フラーレン類と連鎖停止型酸化防止剤を共に配合したものであるが、これらの実施例のＲＢＯＴ寿命は、フラーレン類単独の比較例２のＲＢＯＴ寿命に比べて約６倍延長されており、また、連鎖停止型酸化防止剤単独の比較例３及び比較例４のＲＢＯＴ寿命に比べて約２〜３倍延長されており、本発明の潤滑油組成物は、大幅に延長されたＲＢＯＴ寿命を有していることがわかる。これらの効果は、本発明により初めて実現できるものである。
【産業上の利用可能性】
【００２３】
本発明の潤滑油組成物は、内燃機関用潤滑油、ＡＴＦ、ＣＶＴＦ、ＰＳＦ、ショックアブソーバー油、駆動系ギヤ油等の駆動系潤滑油、油圧作動油、タービン油、コンプレッサー油、軸受油、工業用ギヤ油等の工業用潤滑油、金属加工油、冷凍機油、グリース等の種々の潤滑油として好適に用いられる。